(57)【要約】      （修正有）【課題】陳列スペースの有効利用を図ることが可能な箱用シートを提供する。【解決手段】箱用シート２０は、左右方向に交互に連接される一対の長さ面パネル１、２及び一対の幅面パネル３、４と、長さ面パネルの上縁から延出する蓋外フラップ５、６と、幅面パネルの上縁から延出する蓋内フラップ７、８と、長さ面パネルの下縁から延出する底外フラップ９、１０と、幅面パネルの下縁から延出する底内フラップ１１、１２とを備え、一方の幅面パネル並びにこの幅面パネルから延出する蓋内フラップ及び底内フラップを縦断する第１破断容易線１４と、他方の幅面パネル並びに蓋内フラップ及び底内フラップを縦断する第２破断容易線１５と、一方の長さ面パネルから延出する蓋外フラップ及び底外フラップをそれぞれ横断する第３破断容易線１６ａ、１６ｂとを有しており、第１破断容易線及び第２破断容易線のうち、蓋内フラップ及び底内フラップに形成されている部分が、組立状態で両端に亘って上記第３破断容易線と重なり合う。【選択図】図１
0003229162.tif 000002
【実用新案登録請求の範囲】
【請求項１】
左右方向に交互に連接される一対の長さ面パネル及び一対の幅面パネルと、
上記一対の長さ面パネルの上縁から延出する一対の蓋外フラップと、
上記一対の幅面パネルの上縁から延出する一対の蓋内フラップと、
上記一対の長さ面パネルの下縁から延出する一対の底外フラップと、
上記一対の幅面パネルの下縁から延出する一対の底内フラップと
を備え、箱型に組み立て可能な箱用シートであって、
一方の上記幅面パネル、並びにこの幅面パネルから延出する上記蓋内フラップ及び上記底内フラップを縦断する第１破断容易線と、
他方の上記幅面パネル、並びにこの幅面パネルから延出する上記蓋内フラップ及び上記底内フラップを縦断する第２破断容易線と、
一方の上記長さ面パネルから延出する上記蓋外フラップ及び上記底外フラップをそれぞれ横断する第３破断容易線と
を有しており、
上記第１破断容易線及び上記第２破断容易線のうち、上記蓋内フラップ及び上記底内フラップに形成されている部分が、組立状態で両端に亘って上記第３破断容易線と重なり合っている箱用シート。
【請求項２】
上記幅面パネルの左右方向長さに対する上下方向長さの比が０．５以下である請求項１に記載の箱用シート。
【請求項３】
上記第３破断容易線が、左右方向の一方側から他方側に向けて上記蓋外フラップ及び上記底外フラップの基端側から先端側に傾斜している請求項１又は請求項２に記載の箱用シート。
【請求項４】
上記第１破断容易線のうち、上記幅面パネルに形成されている部分が、この幅面パネルの左右方向中央側に凸なアーチ状であり、
上記第２破断容易線のうち、上記幅面パネルに形成されている部分が、この幅面パネルの左右方向中央側に凸なアーチ状である請求項１、請求項２又は請求項３に記載の箱用シート。
【請求項５】
上記一対の幅面パネルに、上記第１破断容易線及び上記第２破断容易線から連続する指孔が設けられる請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この箱体としては、物品の運搬後に物品を陳列するための容器として用いられるものも存在している（実開昭６１−２７８１５号公報参照）。
【先行技術文献】
【特許文献】
【０００３】
【特許文献１】実開昭６１−２７８１５号公報
【考案の概要】
【考案が解決しようとする課題】
【０００４】
上記公報には、互いに対向する一対の側面パネルの対向する部分に破断容易線によって画定される切り離し領域が形成された展示兼包装箱が記載されている。上記公報には、上記切り離し領域をそれぞれ切り離したうえで、天面パネルの折り曲げによって天面を開放することで展示用のディスプレイとして使用できることが記載されている。
【０００５】
上記公報に記載されているように、従来の箱体は、物品の運搬に用いられた向きのままで陳列用容器として使用されるものである。
【０００６】
一方で、今日では、陳列スペースの有効利用等の観点から、輸送時の向きと陳列時の向きとを変えることが望まれる場合がある。
【０００７】
本考案は、このような事情に鑑みてなされたものであり、運搬時の向きと陳列時の向きとを異ならせることで、陳列スペースの有効利用を図ることが可能な箱用シートを提供することを目的とする。
【課題を解決するための手段】
【０００８】
上記課題を解決するためになされた本考案の一態様に係る箱用シートは、左右方向に交互に連接される一対の長さ面パネル及び一対の幅面パネルと、上記一対の長さ面パネルの上縁から延出する一対の蓋外フラップと、上記一対の幅面パネルの上縁から延出する一対の蓋内フラップと、上記一対の長さ面パネルの下縁から延出する一対の底外フラップと、上記一対の幅面パネルの下縁から延出する一対の底内フラップとを備え、箱型に組み立て可能な箱用シートであって、一方の上記幅面パネル、並びにこの幅面パネルから延出する上記蓋内フラップ及び上記底内フラップを縦断する第１破断容易線と、他方の上記幅面パネル、並びにこの幅面パネルから延出する上記蓋内フラップ及び上記底内フラップを縦断する第２破断容易線と、一方の上記長さ面パネルから延出する上記蓋外フラップ及び上記底外フラップをそれぞれ横断する第３破断容易線とを有しており、上記第１破断容易線及び上記第２破断容易線のうち、上記蓋内フラップ及び上記底内フラップに形成されている部分が、組立状態で両端に亘って上記第３破断容易線と重なり合っている。
【考案の効果】
【０００９】
本考案の一態様に係る箱用シートによると、運搬時の向きと陳列時の向きとを異ならせることで、陳列スペースの有効利用を図ることができる。
【図面の簡単な説明】
【００１０】
【図１】図１は、本考案の一実施形態に係る箱用シートを示す模式的平面図である。
【図２】図２は、図１の箱用シートを組み立ててなる箱体の輸送時の状態を示す模式的斜視図である。
【図３】図３は、図２の箱体を縦置きした状態を示す模式的斜視図である。
【図４】図４は、図３の箱体のＩＶ−ＩＶ線断面図である。
【図５】図５は、図３の箱体の開放手順を示す模式的斜視図である。
【図６】図６は、図３の箱体を開放して形成される物品陳列容器を示す模式的斜視図である。
【考案を実施するための形態】
【００１１】
［本考案の実施形態の説明］
最初に本考案の実施態様を列記して説明する。
【００１２】
本考案の一態様に係る箱用シートは、左右方向に交互に連接される一対の長さ面パネル及び一対の幅面パネルと、上記一対の長さ面パネルの上縁から延出する一対の蓋外フラップと、上記一対の幅面パネルの上縁から延出する一対の蓋内フラップと、上記一対の長さ面パネルの下縁から延出する一対の底外フラップと、上記一対の幅面パネルの下縁から延出する一対の底内フラップとを備え、箱型に組み立て可能な箱用シートであって、一方の上記幅面パネル、並びにこの幅面パネルから延出する上記蓋内フラップ及び上記底内フラップを縦断する第１破断容易線と、他方の上記幅面パネル、並びにこの幅面パネルから延出する上記蓋内フラップ及び上記底内フラップを縦断する第２破断容易線と、一方の上記長さ面パネルから延出する上記蓋外フラップ及び上記底外フラップをそれぞれ横断する第３破断容易線とを有しており、上記第１破断容易線及び上記第２破断容易線のうち、上記蓋内フラップ及び上記底内フラップに形成されている部分が、組立状態で両端に亘って上記第３破断容易線と重なり合っている。
【００１３】
当該箱用シートは、上記第３破断容易線が、上記一方の長さ面パネルから延出する上記蓋外フラップ及び上記底外フラップを横断しており、換言すると、上記第１破断容易線、上記第２破断容易線及び上記第３破断容易線がいずれも、組立状態で上記一対の蓋外フラップ同士の合わせ目及び上記一対の底外フラップ同士の合わせ目を跨がないように形成されている。そのため、当該箱用シートを組み立ててなる箱体は、上記第１破断容易線、上記第２破断容易線及び上記第３破断容易線を容易に破断することができると共に、この破断によって箱体を物品陳列容器と切り離し片とに分離することができる。当該箱用シートは、上記第１破断容易線、上記第２破断容易線及び上記第３破断容易線を一連の動作によって破断することができるので、物品陳列容器と切り離し片との分離が容易である。当該箱用シートから形成される物品陳列容器は、上記長さ面パネルを接地面パネルとして縦置きに配置されるので、陳列スペースの有効利用を図ることができる。
【００１４】
上記幅面パネルの左右方向長さに対する上下方向長さの比としては、０．５以下が好ましい。このように、上記幅面パネルの左右方向長さに対する上下方向長さの比が上記上限以下であることによって、陳列スペースの有効利用を図りやすい。
【００１５】
上記第３破断容易線が、左右方向の一方側から他方側に向けて上記蓋外フラップ及び上記底外フラップの基端側から先端側に傾斜しているとよい。このように、上記第３破断容易線が、左右方向の一方側から他方側に向けて上記蓋外フラップ及び上記底外フラップの基端側から先端側に傾斜していることによって、物品陳列容器として設けられた状態での物品の表示効果を高めると共に、上記第１破断容易線、上記第２破断容易線及び上記第３破断容易線の破断容易化を促進することができる。
【００１６】
上記第１破断容易線のうち、上記幅面パネルに形成されている部分が、この幅面パネルの左右方向中央側に凸なアーチ状であり、上記第２破断容易線のうち、上記幅面パネルに形成されている部分が、この幅面パネルの左右方向中央側に凸なアーチ状であるとよい。このように、上記第１破断容易線のうち、上記幅面パネルに形成されている部分が、この幅面パネルの左右方向中央側に凸なアーチ状であり、上記第２破断容易線のうち、上記幅面パネルに形成されている部分が、この幅面パネルの左右方向中央側に凸なアーチ状であることによって、上記第１破断容易線及び上記第２破断容易線の破断容易化を促進することができる。
【００１７】
上記一対の幅面パネルに、上記第１破断容易線及び上記第２破断容易線から連続する指孔が設けられるとよい。このように、上記一対の幅面パネルに、上記第１破断容易線及び上記第２破断容易線から連続する指孔が設けられることによって、上記第１破断容易線、上記第２破断容易線及び上記第３破断容易線の破断容易化を促進することができる。
【００１８】
なお、本考案において、「左右方向」とは、箱用シートを組み立ててなる箱体の運搬時の一般的な使用態様における水平方向をいう。また、「上」とは、上記左右方向を基準とする上を意味し、「下」とは、上記左右方向を基準とする下を意味する。
【００１９】
［本考案の実施形態の詳細］
以下、適宜図面を参照しつつ、本考案の実施の形態を詳説する。
【００２０】
［箱用シート］
図１の箱用シート２０は、左右方向に交互に連接される一対の長さ面パネル（第１長さ面パネル１及び第２長さ面パネル２）並びに一対の幅面パネル（第１幅面パネル３及び第２幅面パネル４）を備える。第１長さ面パネル１、第１幅面パネル３、第２長さ面パネル２及び第２幅面パネル４は、左右方向の一方側から他方側に向けてこの順で連接されている。また、当該箱用シート２０は、第１長さ面パネル１の上縁から延出する第１蓋外フラップ５と、第２長さ面パネル２の上縁から延出する第２蓋外フラップ６と、第１幅面パネル３の上縁から延出する第１蓋内フラップ７と、第２幅面パネル４の上縁から延出する第２蓋内フラップ８と、第１長さ面パネル１の下縁から延出する第１底外フラップ９と、第２長さ面パネル２の下縁から延出する第２底外フラップ１０と、第１幅面パネル３の下縁から延出する第１底内フラップ１１と、第２幅面パネル４の下縁から延出する第２底内フラップ１２とを備える。さらに、当該箱用シート２０は、第１長さ面パネル１の左右方向外側の側縁から延出する糊代１３を備える。当該箱用シート２０は、１枚のシートから構成されている。当該箱用シート２０は、箱型に組み立て可能であり、具体的には図２のＡ式（ミカン箱タイプ）の箱体３０に組み立てられる。なお、図１において、太い実線はシートを切断して形成される切断線を示し、細い実線はシートの内面（箱体３０に組み立てられた状態における内側の面）を筋押しして形成される罫線を示す。
【００２１】
当該箱用シート２０を箱体３０に組み立てる手順について説明する。まず、左右方向外側（本実施形態では左右方向右側）に位置する第１長さ面パネル１をこの第１長さ面パネル１に連接される第１幅面パネル３の内面に折り重ね、左右方向外側（本実施形態では左右方向左側）に位置する第２幅面パネル４をこの第２幅面パネル４に連接される第２長さ面パネル２の内面に折り重ね、糊代１３を折り重ねられた第２幅面パネル４の内面に貼着する。続いて、無端状に接続された第１長さ面パネル１、第１幅面パネル３、第２長さ面パネル２及び第２幅面パネル４を四角筒状に広げたうえ、第１底内フラップ１１及び第２底内フラップ１２（以下、第１底内フラップ１１及び第２底内フラップ１２をまとめて「底内フラップ１１、１２」ともいう）を内側に折り曲げ、さらに第１底外フラップ９及び第２底外フラップ１０（以下、第１底外フラップ９及び第２底外フラップ１０をまとめて「底外フラップ９、１０」ともいう）を内側に折り曲げて先端縁同士を突き合わせ、箱体３０の底部３１を形成する。次に、底部３１上に物品（不図示）を収容したうえで、第１蓋内フラップ７及び第２蓋内フラップ８（以下、第１蓋内フラップ７及び第２蓋内フラップ８をまとめて「蓋内フラップ７、８」ともいう）を内側に折り曲げ、さらに第１蓋外フラップ５及び第２蓋外フラップ６（以下、第１蓋外フラップ５及び第２蓋外フラップ６をまとめて「蓋外フラップ５、６」ともいう）を内側に折り曲げて先端縁同士を突き合わせ、箱体３０の蓋部３２を形成する。一対の底外フラップ９、１０同士の合わせ目及び一対の蓋外フラップ５、６同士の合わせ目には、封函テープＸが貼着され、これにより箱体３０の蓋部３２及び底部３１が封止される。箱体３０は、底部３１の下面が接地面として構成された図２の状態で、物品の運搬に供される。
【００２２】
当該箱用シート２０に用いられるシートとしては、当該箱用シート２０を組み立ててなる箱体３０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート２０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２３】
（長さ面パネル）
第１長さ面パネル１及び第２長さ面パネル２（以下、第１長さ面パネル１及び第２長さ面パネル２をまとめて「長さ面パネル１、２」ともいう）は、矩形状かつ略同一形状に形成されている。長さ面パネル１、２の左右方向長さは、第１幅面パネル３及び第２幅面パネル４（以下、第１幅面パネル３及び第２幅面パネル４をまとめて「幅面パネル３、４」ともいう）の左右方向長さよりも大きい。
【００２４】
長さ面パネル１、２の左右方向長さとしては、箱体３０に収容する物品の大きさ等に基づいて適宜設定可能であるが、例えば２０ｃｍ以上５０ｃｍ以下とすることができる。長さ面パネル１、２の上下方向長さとしては、箱体３０に収容する物品の大きさ等に基づいて適宜設定可能であるが、例えば５ｃｍ以上２０ｃｍ以下とすることができる。
【００２５】
（幅面パネル）
一対の幅面パネル３、４は、矩形状かつ略同一形状に形成されている。幅面パネル３、４の左右方向長さとしては、箱体３０に収容する物品の大きさ等に基づいて適宜設定可能であるが、例えば１５ｃｍ以上４０ｃｍ以下とすることができる。幅面パネル３、４の上下方向長さとしては、長さ面パネル１、２の上下方向長さと同じとすることができる。
【００２６】
幅面パネル３、４の左右方向長さに対する上下方向長さの比の上限としては、０．５が好ましく、０．４５がより好ましい。当該箱用シート２０は、図２の状態で物品の運搬等に供された後、図３の縦置き状態（第２長さ面パネル２を接地面パネルとして配置した状態）で物品の陳列用に供される。この際、幅面パネル３、４の左右方向長さに対する上下方向長さの比が上記上限以下であることで、陳列スペースの有効利用を図りやすい。なお、上記上下方向長さの比の下限としては、特に限定されるものではないが、例えば０．２とすることができる。
【００２７】
（蓋外フラップ）
一対の蓋外フラップ５、６は、略同一形状に形成されている。蓋外フラップ５、６は、長さ面パネル１、２の左右方向長さと略同幅の略長方形状である。蓋外フラップ５、６の延出方向長さは、幅面パネル３、４の左右方向長さの略１／２である。
【００２８】
（蓋内フラップ）
一対の蓋内フラップ７、８は、略同一形状に形成されている。蓋内フラップ７、８は、幅面パネル３、４の左右方向長さと略同幅の略長方形状である。蓋内フラップ７、８の延出方向長さは、蓋外フラップ５、６の延出方向長さと同じとすることができる。
【００２９】
（底外フラップ）
一対の底外フラップ９、１０は、略同一形状に形成されている。底外フラップ９、１０は、長さ面パネル１、２の左右方向長さと略同幅の略長方形状である。底外フラップ９、１０の延出方向長さは、幅面パネル３、４の左右方向長さの略１／２である。
【００３０】
（底内フラップ）
一対の底内フラップ１１、１２は、略同一形状に形成されている。底内フラップ１１、１２は、幅面パネル３、４の左右方向長さと略同幅の略長方形状である。底内フラップ１１、１２の延出方向長さは、底外フラップ９、１０の延出方向長さと同じとすることができる。
【００３１】
（破断容易線）
当該箱用シート２０は、第１幅面パネル３、並びに第１幅面パネル３から延出する第１蓋内フラップ７及び第１底内フラップ１１を縦断する第１破断容易線１４と、第２幅面パネル４、並びに第２幅面パネル４から延出する第２蓋内フラップ８及び第２底内フラップ１２を縦断する第２破断容易線１５と、第１長さ面パネル１から延出する第１蓋外フラップ５及び第１底外フラップ９にそれぞれ設けられる第３破断容易線１６ａ、１６ｂとを有する。第３破断容易線１６ａ、１６ｂは、第１蓋外フラップ５及び第１底外フラップ９を幅方向に横断している。第３破断容易線１６ａ、１６ｂは、第１蓋外フラップ５及び第１底外フラップ９の両側縁に亘って延びている。第１破断容易線１４は、第１幅面パネル３を上下方向に縦断する第１部分１４ａと、第１蓋内フラップ７を延出方向に縦断する第２部分１４ｂと、第１底内フラップ１１を延出方向に縦断する第３部分１４ｃとを有する。第２破断容易線１５は、第２幅面パネル４を上下方向に縦断する第１部分１５ａと、第２蓋内フラップ８を延出方向に縦断する第２部分１５ｂと、第２底内フラップ１２を延出方向に縦断する第３部分１５ｃとを有する。図４に示すように、第１破断容易線１４の第２部分１４ｂ及び第２破断容易線１５の第２部分１５ｂは、組立状態で両端に亘って第３破断容易線１６ａと重なり合っている。また同様に、第１破断容易線１４の第３部分１４ｃ及び第２破断容易線１５の第３部分１５ｃは、組立状態で両端に亘って第３破断容易線１６ｂと重なり合っている。第１破断容易線１４、第２破断容易線１５及び第３破断容易線１６ａ、１６ｂとしては、断続的にシートを切断したミシン目が挙げられる。図１に示すように、第１破断容易線１４の第１部分１４ａ及び第２破断容易線１５の第１部分１５ａには、アーチ状の切断線１７ａ、１７ｂの両端部が接続されている。
【００３２】
箱体３０は、図３の縦置き状態で第１破断容易線１４、第２破断容易線１５及び第３破断容易線１６ａ、１６ｂを破断することで、物品陳列容器と切り離し片とに分離される。以下、図５及び図６を参照して、箱体３０を物品陳列容器４０と切り離し片５０とに分離する手順について説明する。
【００３３】
まず、図３に示すように箱体３０を縦置きに配置した状態で、第１破断容易線１４の第１部分１４ａと切断線１７ａとで囲まれる領域に指を入れる。これにより、第１部分１４ａと切断線１７ａとで囲まれる領域が、第１部分１４ａで折れ曲がり又は第１部分１４ａで破断されることで、図５に示すように、第１幅面パネル３に、第１破断容易線１４から連続する指孔１８が形成される。なお、図５では、第１幅面パネル３に指孔１８が設けられる構成について図示しているが、第２破断容易線１５の第１部分１５ａと切断線１７ｂとで囲まれる領域に指を入れ、第２幅面パネル４に第２破断容易線１５から連続する指孔を設けることも可能である。当該箱用シート２０は、幅面パネル３、４に、第１破断容易線１４及び第２破断容易線１５から連続する指孔が設けられることで、第１破断容易線１４、第２破断容易線１５及び第３破断容易線１６ａ、１６ｂの破断容易化を促進することができる。
【００３４】
次に、図５に示すように、指孔１８に指を入れ、切断線１７ａによって画定される指孔１８のエッジに指を引っ掛けたうえで、第１幅面パネル３における第１部分１４ａの上側領域を上方に引き上げる。これにより、第１破断容易線１４の第１部分１４ａが破断される。さらに、続けて上記上側領域を上方に引き上げてゆくことで、第１破断容易線１４の第２部分１４ｂ及び第３部分１４ｃ、第３破断容易線１６ａ、１６ｂ、並びに第２破断容易線１５が、第１幅面パネル３側から順次破断されてゆく。その結果、箱体３０における第１破断容易線１４、第２破断容易線１５、及び第３破断容易線１６ａ、１６ｂよりも下側の領域で形成される物品陳列容器４０と、第１破断容易線１４、第２破断容易線１５、及び第３破断容易線１６ａ、１６ｂよりも上側の領域で形成される切り離し片５０とが分離される。これにより、図６に示す物品陳列容器４０が得られる。
【００３５】
第３破断容易線１６ａ、１６ｂは、左右方向の一方側から他方側に向けて第１蓋外フラップ５及び第１底外フラップ９の基端側から先端側に傾斜している。この構成によると、物品の表示効果を高めると共に、第１破断容易線１４、第２破断容易線１５及び第３破断容易線１６ａ、１６ｂの破断容易化を促進することができる。
【００３６】
第１破断容易線１４の第１部分１４ａは、第１幅面パネル３の左右方向中央側に凸なアーチ状であり、第２破断容易線１５の第１部分１５ａは、第２幅面パネル４の左右方向中央側に凸なアーチ状である。この構成によると、第１部分１４ａ、１５ａの破断容易化を促進することができる。
【００３７】
＜利点＞
当該箱用シート２０は、第３破断容易線１６ａ、１６ｂが、第１蓋外フラップ５及び第１底外フラップ９を横断しており、換言すると、第１破断容易線１４、第２破断容易線１５及び第３破断容易線１６ａ、１６ｂがいずれも、組立状態で一対の蓋外フラップ５、６同士の合わせ目及び一対の底外フラップ９、１０同士の合わせ目を跨がないように形成されている。そのため、当該箱用シート２０を組み立ててなる箱体３０は、第１破断容易線１４、第２破断容易線１５及び第３破断容易線１６ａ、１６ｂを容易に破断することができると共に、この破断によって箱体３０を物品陳列容器４０と切り離し片５０とに分離することができる。当該箱用シート２０は、第１破断容易線１４、第２破断容易線１５及び第３破断容易線１６ａ、１６ｂを一連の動作によって破断することができるので、物品陳列容器４０と切り離し片５０との分離が容易である。当該箱用シート２０から形成される物品陳列容器４０は、第２長さ面パネル２を接地面パネルとして縦置きに配置されるので、陳列スペースの有効利用を図ることができる。
【００３８】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３９】
例えば当該箱用シートは、上述の切り離し片を物品陳列容器として用いることも可能である。また、当該箱用シートは、上記第２蓋外フラップ及び上記第２底外フラップに上記第３破断容易線が形成されたものであってもよい。
【００４０】
上記第１破断容易線、上記第２破断容易線及び上記第３破断容易線の具体的な形状は、上記実施形態に記載の形状に限定されない。例えば上記第３破断容易線は、蓋外フラップ及び底外フラップの基端縁と平行に延びていてもよい。また、上記第１破断容易線の第１部分及び上記第２破断容易線の第１部分は、幅面パネルの左右方向中央側から外側に凸なアーチ状であってもよい。
【００４１】
当該箱用シートは、一対の幅面パネルのうちの一方のみに上述の指孔が設けられてもよい。また、一対の幅面パネルのいずれにも指孔を有しない構成とすることも可能である。
【産業上の利用可能性】
【００４２】
以上のように、本考案の一態様に係る箱用シートは、陳列スペースの有効利用を図るのに適している。
【符号の説明】
【００４３】
１  第１長さ面パネル
２  第２長さ面パネル
３  第１幅面パネル
４  第２幅面パネル
５  第１蓋外フラップ
６  第２蓋外フラップ
７  第１蓋内フラップ
８  第２蓋内フラップ
９  第１底外フラップ
１０  第２底外フラップ
１１  第１底内フラップ
１２  第２底内フラップ
１３  糊代
１４  第１破断容易線
１４ａ  第１部分
１４ｂ  第２部分
１４ｃ  第３部分
１５  第２破断容易線
１５ａ  第１部分
１５ｂ  第２部分
１５ｃ  第３部分
１６ａ、１６ｂ  第３破断容易線
１７ａ、１７ｂ  切断線
１８  指孔
２０  箱用シート
３０  箱体
３１  底部
３２  蓋部
４０  物品陳列容器
５０  切り離し片
Ｘ  封函テープ
【図１】
0003229162.tif 000003
【図２】
0003229162.tif 000004
【図３】
0003229162.tif 000005
【図４】
0003229162.tif 000006
【図５】
0003229162.tif 000007
【図６】
0003229162.tif 000008